(57)【特許請求の範囲】
【請求項１】
隣接する内側壁に共通接点と固定接点が植設された略箱形のケースと、略中間の支点部が上記ケースの支持部に回動可能に保持されると共に、一端の駆動部が上記ケース内に延出し、他端の操作部が上記ケースから外方へ突出したレバーと、一端の接触部が上記共通接点に弾接すると共に、他端の接点部が上記固定接点またはその近傍の内側壁に弾接し、中間のアーム部に上記レバーの駆動部が当接した可動接点からなり、上記ケースの支持部を上記共通接点及び固定接点と対向する端部に形成すると共に、上記可動接点を中間のアーム部に曲げ方向が逆の複数の折曲部を設け、略逆Ｎ字状に形成したレバースイッチ。
【請求項２】
レバーの操作部と駆動部の厚さを、支点部より薄くした請求項１記載のレバースイッチ。
【発明の詳細な説明】
【技術分野】
【０００１】
本発明は、各種電子機器において、主に記録媒体の有無やメカニズムの動作検出等に用いられるレバースイッチに関するものである。
【背景技術】
【０００２】
近年、ビデオやパソコン等の各種電子機器の小型化や高機能化が進むなか、これらのテープやディスク等の記録媒体の有無、或いはツマミや扉等のメカニズムの動作検出等に用いられるレバースイッチにおいても、小型薄型で動作の確実なものが求められている。
【０００３】
このような従来のレバースイッチについて、図４及び図５を用いて説明する。
【０００４】
図４は従来のレバースイッチの断面図であり、同図において、１は絶縁樹脂製で前面開放の略箱形のケースで、下内側壁には導電金属製の共通接点２が、これに隣接する左右内側壁には同じく導電金属製の固定接点３が、インサート成形等によって植設固定されている。
【０００５】
そして、ケース１の共通接点２上方には、所定の間隔を空けて保持部１Ａが形成されると共に、共通接点２と対向した上側壁の開口部１Ｂ中央には、円柱状の支持部１Ｃが形成されている。
【０００６】
また、４は絶縁樹脂製のレバーで、略中間の支点部４Ａがケース１の支持部１Ｃに回動可能に保持されると共に、一端の駆動部４Ｂがケース１内に延出し、他端の操作部４Ｃがケース１の開口部１Ｂから左斜め上方に突出している。
【０００７】
そして、５は弾性金属薄板製で略逆コの字状の可動接点で、全体がやや撓んだ状態でケース１内に収納されると共に、下端に設けられた略コの字状の接触部５Ａが、共通接点２と保持部１Ａの間に圧入固定され、この下面の突部５Ｂが共通接点２に弾接している。
【０００８】
さらに、可動接点５中間のアーム部５Ｃには、曲げ方向の同じ複数の折曲部５Ｄと５Ｅが設けられて上方及び右方へ延出し、上端の略円弧状の接点部５Ｆがケース１右内側壁に弾接すると共に、折曲部５Ｅ近傍にレバー４の駆動部４Ｂが当接している。
【０００９】
そして、この可動接点５やレバー４を収納したケース１の前面を、金属薄板製のカバー（図示せず）等が覆って、レバースイッチが構成されている。
【００１０】
また、このように構成されたレバースイッチは、上下面に複数の配線パターンが形成された配線基板（図示せず）等に載置され、ケース１から延出した共通接点２や固定接点３の端子部が、所定の配線パターンに半田付けされて、機器の電子回路に電気的に接続される。
【００１１】
以上の構成において、テープやディスク等の記録媒体の挿抜、或いはツマミや扉等のメカニズムによって、ケース１から上方へ突出した操作部４Ｃが左下方向へ回動操作されると、図５の断面図に示すように、レバー４が支点部４Ａを支点として反時計方向へ回動する。
【００１２】
そして、このレバー４の回動に伴って、可動接点５のアーム部５Ｃが駆動部４Ｂに押圧され、可動接点５全体がさらに撓んで、接点部５Ｆがケース１右内側壁上を下方へ弾接摺動し、固定接点３に弾接して、可動接点５を介して共通接点２と固定接点３間が電気的に接続される。
【００１３】
また、レバー４への操作力が解除されると、可動接点５の弾性復帰力によって、レバー４が上方向に押圧されて回動すると共に、接点部５Ｆも固定接点３からケース１右内側壁へ弾接摺動して離れ、共通接点２と固定接点３間が電気的に切断された、図４の状態に復帰するように構成されている。
【００１４】
つまり、ケース１中央の支持部１Ｃを支点としたレバー４の回動操作によって、駆動部４Ｂでアーム部５Ｃを押圧して可動接点５を弾性変形させ、この可動接点５の撓みによる弾性力によって、回動操作時の接点部５Ｆの固定接点３への弾接力や、操作力を解除した際のレバー４の復帰力が得られるようになっている。
【００１５】
従って、このようなスイッチの小型薄型化、特に上下方向の低背化を図ろうとした場合、略逆コの字状の可動接点５の形状を小さくすれば小型薄型化が可能であるが、その分、可動接点５の全体の撓み量も小さくなってしまうため、接点部５Ｆの固定接点３への弾接力や、操作力を解除した際にレバー４を上方へ付勢する力が小さなものとなってしまうものであった。
【００１６】
なお、この出願の発明に関連する先行技術文献情報としては、例えば、特許文献１が知られている。
【特許文献１】特開２００１−２９７６６０号公報
【発明の開示】
【発明が解決しようとする課題】
【００１７】
しかしながら、上記従来のレバースイッチにおいては、小型薄型化を図るため、略逆コの字状の可動接点５の形状を小さくすると、可動接点５全体の撓み量も小さくなり、接点部５Ｆが固定接点３へ弾接する力や、レバー４を上方へ付勢する力が小さなものとなり、スイッチとしての安定した電気的接離や確実な動作が行いづらくなるという課題があった。
【００１８】
本発明は、このような従来の課題を解決するものであり、低背化が図れ、動作の確実なレバースイッチを提供することを目的とする。
【課題を解決するための手段】
【００１９】
上記目的を達成するために本発明は、以下の構成を有するものである。
【００２０】
本発明の請求項１に記載の発明は、レバーの支点部を共通接点及び固定接点と対向するケースの端部に形成すると共に、可動接点中間のアーム部に曲げ方向が逆の複数の折曲部を設け、可動接点を略逆Ｎ字状に形成してレバースイッチを構成したものであり、レバーの回動支点をケース端部に設けると共に、可動接点を略逆Ｎ字状に形成することによって、接点部の固定接点への弾接力や、レバーを上方へ付勢する力を小さくすることなく、全体の低背化が図れるため、電気的接離や動作が確実で、小型薄型化が可能なレバースイッチを得ることができるという作用を有する。
【００２１】
請求項２に記載の発明は、請求項１記載の発明において、レバーの操作部と駆動部の厚さを、支点部より薄くしたものであり、レバーを回動操作する際、ケース等との回転摺動が支点部のみで行われ、摩擦を少なくできるため、レバーの回動操作を滑らかに行うことができるという作用を有する。
【発明の効果】
【００２２】
以上のように本発明によれば、低背化が図れ、動作の確実なレバースイッチを実現することができるという有利な効果が得られる。
【発明を実施するための最良の形態】
【００２３】
以下、本発明の実施の形態について、図１〜図３を用いて説明する。
【００２４】
（実施の形態）
図１は本発明の一実施の形態によるレバースイッチの断面図、図２は同分解斜視図であり、同図において、１１は液晶ポリマーやポリフェニレンサルファイト等の絶縁樹脂製で前面開放の略箱形のケースで、左内壁部には銅合金等の導電金属製の共通接点１２が、これに隣接する下内壁壁には同じく導電金属製の固定接点１３が、インサート成形等によって各々植設固定されている。
【００２５】
そして、ケース１１の共通接点１２右方には、所定の間隔を空けて保持部１１Ａが形成されると共に、共通接点１２や固定接点１３と対向する右上端部に開口部１１Ｂが設けられ、この右上端部には円柱状の支持部１１Ｃが形成されている。
【００２６】
また、１４は液晶ポリマーやナイロン等の絶縁樹脂製のレバーで、略中間の円筒状の支点部１４Ａが、ケース１１の支持部１１Ｃに回動可能に保持されると共に、支点部１４Ａより厚さの薄い一端の駆動部１４Ｂがケース１１内に延出し、他端の同じく薄い厚さの操作部１４Ｃが、ケース１１の開口部１１Ｂから左斜め上方に突出している。
【００２７】
そして、１５は銅合金等の弾性金属薄板製の可動接点で、全体がやや撓んだ状態でケース１１内に収納されると共に、下端に設けられた略コの字状の接触部１５Ａが、共通接点１２と保持部１１Ａの間に圧入固定され、この下面の突部１５Ｂが共通接点１２に弾接している。
【００２８】
さらに、可動接点１５中間のアーム部１５Ｃには、曲げ方向が逆の複数の折曲部１５Ｄと１５Ｅが設けられ、右方及び下方へ延出して略逆Ｎ字状に形成されると共に、下端の略円弧状の接点部１５Ｆがケース１１下内側壁に弾接し、折曲部１５Ｅ近傍にはレバー１４の駆動部１４Ｂが当接している。
【００２９】
そして、この可動接点１５やレバー１４を収納したケース１１の前面を、鋼板等の金属薄板製のカバー１６が覆い、カバー１６から突出した複数の爪部１６Ａがケース１１背面にかしめられ固定されて、レバースイッチが構成されている。
【００３０】
また、このように構成されたレバースイッチは、上下面に複数の配線パターンが形成された配線基板（図示せず）等に載置され、ケース１１から延出した共通接点１２や固定接点１３の端子部が、所定の配線パターンに半田付けされて、機器の電子回路に電気的に接続される。
【００３１】
以上の構成において、テープやディスク等の記録媒体の挿抜、或いはツマミや扉等のメカニズムによって、ケース１１から上方へ突出した操作部１４Ｃが左下方向へ回動操作されると、図３の断面図に示すように、レバー１４が右上端部の支点部１４Ａを支点として反時計方向へ回動する。
【００３２】
そして、このレバー１４の回動に伴って、折曲部１５Ｅ近傍のアーム部１５Ｃが駆動部１４Ｂに押圧され、可動接点１５全体がさらに撓んで、接点部１５Ｆがケース１１下内側壁上を左方へ弾接摺動し、固定接点１３に弾接して、可動接点１５を介して共通接点１２と固定接点１３間が電気的に接続される。
【００３３】
また、レバー１４への操作力が解除されると、可動接点１５の弾性復帰力によって、レバー１４が上方向に押圧されて回動すると共に、接点部１５Ｆも固定接点１３から右方のケース１１下内側壁へ弾接摺動して離れ、共通接点１２と固定接点１３間が電気的に切断された、図１の状態に復帰するように構成されている。
【００３４】
なお、この時、レバー１４の回動支点が、共通接点１２や固定接点１３と対向するケース１１右上端部に設けられると共に、可動接点１５が略逆Ｎ字状に形成されているため、可動接点１５の高さ方向の寸法は小さくなっているが、中間のアーム部１５Ｃ両端の曲げ方向が逆の複数の折曲部１５Ｄや１５Ｅによって、可動接点１５全体の充分な撓み量が得られ、接点部１５Ｆの固定接点１３への弾接力や、操作力を解除した際の、レバー１４を上方へ付勢する充分な力が得られるようになっている。
【００３５】
つまり、可動接点１５の高さ方向の寸法を小さくすることによって、スイッチ全体の低背化が図れると共に、接点部１５Ｆの固定接点１３への弾接力や、レバー１４を上方へ付勢する力は、背景技術の項で説明したスイッチと同等のものが得られるため、スイッチとしての安定した電気的接離や確実な動作が行えるように構成されている。
【００３６】
さらに、レバー１４の操作部１４Ｃと駆動部１４Ｂの厚さが、支点部１４Ａより薄く形成されているため、操作部１４Ｃや駆動部１４Ｂとケース１１やカバー１６との間には間隙が形成され、レバー１４を回動操作する際の、レバー１４とケース１１やカバー１６との摩擦摺動は、比較的面積の小さな円筒状の支点部１４Ａのみで行われるため、操作時の摩擦が少なくなり、レバー１４の滑らかな回動操作が可能なようになっている。
【００３７】
このように本実施の形態によれば、レバー１４の支点部１４Ａを、共通接点１２及び固定接点１３と対向するケース１１の右上端部に設けると共に、可動接点１５中間のアーム部１５Ｃに曲げ方向が逆の複数の折曲部１５Ｄと１５Ｅを設け、可動接点１５を略逆Ｎ字状に形成することによって、接点部１５Ｆの固定接点１３への弾接力や、レバー１４を上方へ付勢する力を小さくすることなく、全体の低背化が図れるため、電気的接離や動作が確実で、小型薄型化が可能なレバースイッチを得ることができるものである。
【００３８】
また、レバー１４の操作部１４Ｃと駆動部１４Ｂの厚さを、支点部１４Ａより薄く形成することによって、レバー１４を回動操作する際、ケース１１等との回転摺動が支点部１４Ａのみで行われ、摩擦を少なくできるため、レバー１４の回動操作を滑らかに行うことができる。
【産業上の利用可能性】
【００３９】
本発明によるレバースイッチは、低背化が可能で、動作の確実なものが得られ、主に各種電子機器の検出用スイッチとして有用である。
【図面の簡単な説明】
【００４０】
【図１】本発明の一実施の形態によるレバースイッチの断面図
【図２】同分解斜視図
【図３】同操作時の断面図
【図４】従来のレバースイッチの断面図
【図５】同操作時の断面図
【符号の説明】
【００４１】
１１  ケース
１１Ａ  保持部
１１Ｂ  開口部
１１Ｃ  支持部
１２  共通接点
１３  固定接点
１４  レバー
１４Ａ  支点部
１４Ｂ  駆動部
１４Ｃ  操作部
１５  可動接点
１５Ａ  接触部
１５Ｂ  突部
１５Ｃ  アーム部
１５Ｄ、１５Ｅ  折曲部
１５Ｆ  接点部
１６  カバー
１６Ａ  爪部
【図１】
0004618155.tif 000002
【図２】
0004618155.tif 000003
【図３】
0004618155.tif 000004
【図４】
0004618155.tif 000005
【図５】
0004618155.tif 000006